(57)【要約】【課題】機械的強度や剛性を確保し且つ薄型化、軽量化が可能であり、ＦＰＣの張り付きの抑制、摺動抵抗の減少を達成する光ディスク装置を提供する。【解決手段】枠体１１と、枠体１１に配設され、装着された光ディスクを回転駆動させるモータ１２と、枠体１１に配設され、光ディスクの径方向に移動して、光ディスクの情報記録面に対し、信号の記録、再生の少なくとも一方を行う光ピックアップ１３と、枠体１１に配設され、光ピックアップ１３と回路基板とを接続するＦＰＣ１４と、枠体１１の光ディスク装着面側を覆うユニットカバー１５を備え、ユニットカバー１５は、ＦＰＣ１４が接触する領域を含む第１の領域１５１と、第１の領域１５１よりも光ディスク装着面側に突出すると共に、ＦＰＣ１４が接触する領域の一部を挟んだ両側に位置する第２の領域１５２Ａ及び１５２Ｂを有してなる光ディスク装置である。【選択図】図１
2009259353.tif 000002
【特許請求の範囲】
【請求項１】
装着した光ディスクの情報記録面に対し、信号の記録、再生の少なくとも一方を行う光ディスク装置であって、
枠体と、
前記枠体に配設され、前記装着された光ディスクを回転駆動させるモータと、
前記枠体に配設され、前記装着された光ディスクの径方向に移動して、当該光ディスクの情報記録面に対し、信号の記録、再生の少なくとも一方を行う光ピックアップと、
前記前記枠体に配設された回路基板と、
前記枠体に配設され、前記光ピックアップと前記回路基板とを接続するフレキシブル配線と、
前記枠体の光ディスク装着面側を覆うユニットカバーと、
を備え、
前記ユニットカバーは、前記フレキシブル配線が接触する領域を含む第１の領域と、前記第１の領域よりも前記光ディスクの装着面側に突出すると共に、前記フレキシブル配線が接触する領域の一部を挟んだ両側に位置する第２の領域と、を有してなる光ディスク装置。
【請求項２】
前記第１の領域は、前記フレキシブル配線が接触する領域に摺動性を有する摺動部が設けられてなる請求項１記載の光ディスク装置。
【請求項３】
前記摺動部は、前記フレキシブル配線との接触面積を減少させる複数の凹凸形状からなる請求項２記載の光ディスク装置。
【請求項４】
前記凹凸形状は、前記第１の領域の前記光ディスクの装着面側に対し凹状に形成され、当該装着面側とは反対側に対し凸状に形成されてなる請求項３記載の光ディスク装置。
【請求項５】
前記装着された光ディスクの外周に相当する位置に、前記第１の領域と前記第２の領域との境界の一部が形成されてなる請求項１ないし請求項４のいずれか一項に記載の光ディスク装置。
【発明の詳細な説明】
【技術分野】
【０００１】
本発明は、装着した光ディスクの情報記録面に対し、信号の記録、再生の少なくとも一方を行う光ディスク装置に関する。
【背景技術】
【０００２】
従来、光ディスク装置は、主に上面を覆うトップカバーと、下面、側面及び背面を覆うボトムカバーと、前面を覆うフロントパネルと、を有する筐体を備えており、この筐体内部には、光ディスクが装着されるユニットメカが配置されている。このユニットメカは、周囲部分を占める骨格となる枠体を有し、この枠体には、装着された光ディスクの半径方向に移動可能に配設される光ピックアップと、前記光ディスクを回転駆動させるスピンドルモータ等が搭載されている。そして、このユニットメカの光ディスクが装着される光ディスク対向面側には、光ピックアップの移動範囲及びスピンドルモータの回転部に相当する範囲が開口されたユニットカバーが配設されている。また、前記枠体には、移動する光ピックアップと回路基板とを接続するフレキシブル配線（以下、「ＦＰＣ」と記す）が配設されている。
【０００３】
また、近年、例えば、ノートパソコン等、更なる薄型や軽量化が望まれている電子機器等に搭載される光ディスク装置においては、この薄型や軽量化の要望に伴って、更なる軽量化が望まれている。そこで、光ディスク装置を構成する部品を軽量な材料で製造する、あるいは肉厚を薄くする等の工夫がなされているが、単に部品の肉厚を薄くすると、機械的強度や剛性が低下してしまう。そこで、例えば、ユニットカバーでは、機械的強度を確保しつつ軽量化を図るため、ユニットカバーの一部に絞り構造（リブのような凹凸）を設けている。
【０００４】
このような光ディスク装置として、例えば、トレイが挿抜自在に設けられるカバーに凹状と凸状のリブ（絞り構造）を設けることで、当該カバーの機械的強度や剛性を確保し、当該カバーを軽量な材料で製造する、あるいはカバーの肉厚を薄くした光ディスク装置が提供されている。（例えば、特許文献１参照）。
【特許文献１】特開２００５−２５１３１７号公報
【発明の開示】
【発明が解決しようとする課題】
【０００５】
ここで、通常、ユニットメカでは、前記ユニットカバーがＦＰＣに当接することで、当該ＦＰＣの撓みを規制しているが、このＦＰＣは、光ピックアップの移動に伴って動き、当該ユニットカバーに対し摺動することになる。したがって、ユニットカバーのＦＰＣが接触する領域に前述した絞り構造があると、ＦＰＣの摺動抵抗が大きくなり、ＦＰＣが劣化し易くなったり、光ピックアップの移動に不必要な付加がかかる等の不具合が生じる虞がある。
【０００６】
引用文献１に記載された光ディスク装置では、ＦＰＣの一部の形状とほぼ相似形で、ＦＰＣが入り込むことが可能な形状の凹状のリブを前記カバーに形成し、このリブ内にＦＰＣの一部を収納させることによって、トレイとＦＰＣとの間に空間を設け、ＦＰＣとトレイの擦れを防止しているが、この構成の場合、凹状のリブをある程度深く形成する必要があり、カバーの肉厚を薄くしても、カバーに形成されたリブの凹凸による高低差が大きくなる。したがって、カバーを配設するための肉厚方向の高さが前記高低差分必要となり、薄型化を阻害する虞がある。
【０００７】
本発明は、このような事情に鑑みなされたものであり、機械的強度や剛性を確保し且つ薄型化、軽量化が可能であると共に、ＦＰＣの張り付きの抑制、摺動抵抗の減少を達成することが可能な光ディスク装置を提供することを目的とする。
【課題を解決するための手段】
【０００８】
この目的を達成するため本発明は、装着した光ディスクの情報記録面に対し、信号の記録、再生の少なくとも一方を行う光ディスク装置であって、枠体と、前記枠体に配設され、前記装着された光ディスクを回転駆動させるモータと、前記枠体に配設され、前記装着された光ディスクの径方向に移動して、当該光ディスクの情報記録面に対し、信号の記録、再生の少なくとも一方を行う光ピックアップと、前記前記枠体に配設された回路基板と、前記枠体に配設され、前記光ピックアップと前記回路基板とを接続するフレキシブル配線と、前記枠体の光ディスク装着面側を覆うユニットカバーと、を備え、前記ユニットカバーは、前記フレキシブル配線が接触する領域を含む第１の領域と、前記第１の領域よりも前記光ディスクの装着面側に突出すると共に、前記フレキシブル配線が接触する領域の一部を挟んだ両側に位置する第２の領域と、を有してなる光ディスク装置を提供するものである。
【発明の効果】
【０００９】
本発明にかかる光ディスク装置は、機械的強度や剛性を確保し且つ薄型化、軽量化が可能であると共に、ＦＰＣの張り付きの抑制、摺動抵抗の減少を達成することができる。
【発明を実施するための最良の形態】
【００１０】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１１】
図１は、本発明の実施の形態にかかる光ディスク装置の筐体内に配設されるユニットメカの全体構成を示す斜視図、図２は、図１に示すユニットメカの構成要素であるユニットカバーの斜視図、図３は、図２に示すユニットカバーを反対側の面から見た状態を示す斜視図、図４は、図２に示すユニットカバーの平面図、図５は、図４に示すＶ−Ｖ線に沿った断面図、図６は、図７に示すユニットカバーの一部を拡大して示す断面図、図７は、図４に示すVII−VII線に沿った一部を拡大して示す断面図である。
【００１２】
なお、前記各図では、説明を判り易くするため、各部材の厚さやサイズ、拡大・縮小率等は、実際のものとは一致させずに記載した。また、光ディスクが装着される側を「上」その反対側を「下」、光ディスクが挿入される入口側を「前」、その反対側を「奥」として説明する。
【００１３】
図１に示すように、本実施の形態にかかる光ディスク装置の筐体内に配設されるユニットメカ１０は、周囲部分を占める骨格となる枠体１１を備えている。この枠体１１の内側には、装着された光ディスクを回転駆動させるスピンドルモータ１２と、前記光ディスクの情報記録面に対し、信号の記録及び／または再生を行う光ピックアップ１３と、光ピックアップ１３と光ディスク装置の筐体内に配設される図示しない回路基板とを接続するＦＰＣ１４と、枠体１１の光ディスク装着面側を覆うユニットカバー１５と、を備えて構成されている。
【００１４】
なお、本実施の形態にかかる光ディスク装置は、筐体の前面で光ディスクの取込み・排出を行い、前面とユニットメカ１０との間は、光ディスクを内部の機構で自動的に搬送して脱着させるスロット方式であってもよく、光ディスクの脱着の際にユニットメカ１０が内部に固定された状態でトレイが筐体の前方に突出するトレイ方式や、光ディスクの脱着が筐体の上部カバーの開閉で行われる上部開閉方式等であってもよい。
【００１５】
スピンドルモータ１２の上部には、光ディスクをその外周に装着してチャッキングするターンテーブル１２０が配設されている。
【００１６】
光ピックアップ１３は、ターンテーブル１２０に装着された光ディスクとの情報の記録及び／または再生を行う、例えば、レーザダイオード・レーザ駆動ＩＣ等を備え、その両側に配設されている図示しないガイド軸に支持されて、前記光ディスクの径方向に移動可能となっている。
【００１７】
ＦＰＣ１４は、一端が光ピックアップ１３の前側から延出され、略Ｕ字状に湾曲して折り返されることで、他端が光ディスク装置の筐体のスピンドルモータ１２よりも奥側に配設されている回路基板（図示せず）に接続されている。このＦＰＣ１４は、光ピックアップ１３の移動に伴って動き、後に詳述するユニットカバー１５の下面に接触しながら、前記湾曲部分の位置が変更される。
【００１８】
ユニットカバー１５は、光ピックアップ１３の移動範囲の一部に相当する部分と、ターンテーブル１２０に相当する範囲が開口された概ね板状を備えている。このユニットカバー１５は、ＦＰＣ１４が接触する接触領域１５０を含む第１の領域１５１と、接触領域１５０の一部を挟んだ両側に位置する第２の領域１５２Ａ及び１５２Ｂとを有している。
【００１９】
接触領域１５０は、その下面が、ＦＰＣ１４に接触することで、ＦＰＣ１４の撓みを規制している。この接触領域１５０は、図１〜図４に示すように、光ピックアップ１３の移動方向（光ディスクの径方向）に延びており、光ピックアップ１３の移動に伴って動くＦＰＣ１４が接触して摺動する。
【００２０】
ここで、この接触領域１５０には、この部分の機械的強度や剛性等を向上させる目的で従来形成されていた絞り構造（リブ等）が形成されていない。したがって、ＦＰＣ１４が接触して摺動する際に、摺動抵抗を増大させるような段差は形成されていない。
【００２１】
接触領域１５０には、特に図６に拡大して示すように、下面側から見て凸状となる凸部１６０が複数形成されており、この結果、接触領域１５０の下面には、複数の凸部１６０と、凸部１６０が突出するベースとなる面１６２とによる凹凸形状が形成される。この構成により、ＦＰＣ１４は、接触領域１５０の凸部１６０に接触して摺動することになる。このため、凸部１６０が形成されていない場合と比較して接触面積を削減することができる、ＦＰＣ１４と接触領域１５０との接触抵抗を小さくすることができる。すなわち、ＦＰＣ１４の摺動性を向上させることができる。この結果、例えば、ＦＰＣ１４の摺動に起因する劣化や、光ピックアップ１３の移動に不必要な付加がかかる等の不具合が生じることを抑制することができる。なお、これらの凸部１６０は、平面視で略円形を有し、角にＲが付けられており、ＦＰＣ１４と接触領域１５０との接触抵抗をさらに小さくすることができる。さらに、接触領域１５０に凹凸形状が形成されることで、機械的強度や剛性を向上させることもできる。
【００２２】
ここで、凸部１６０の高さ（ユニットカバー１５の厚さ方向の高さ）は、第２の領域１５２Ａ及び１５２Ｂの高さの、例えば、５〜１５％程度と低く、薄型化に悪影響を及ぼす心配はない。なお、接触領域１５０の上面であって、凸部１６０と対向する位置には、凹部１６１が形成されている。
【００２３】
第２の領域１５２Ａ及び１５２Ｂは、ユニットカバー１５を構成する素材に絞り加工を施すことによって形成されており、図７に示すように、第１の領域１５１よりも上方向に突出している。これらの第２の領域１５２Ａ及び１５２Ｂは、第１の領域１５１との境界の一部１５３が、装着される光ディスクの外周に相当する位置となるように形成されており、上面側から見て、第２の領域１５２Ａ及び１５２Ｂに対し凹設されている第１の領域１５１に光ディスクが載置されるようになっている。したがって、第２の領域１５２Ａ及び１５２Ｂの高さを、例えば、光ディスクの厚さ程度にしておけば、薄型化に悪影響を及ぼす心配はない。このように、ユニットカバー１５に、第２の領域１５２Ａ及び１５２Ｂを形成することにより、ユニットカバー１５の機械的強度や剛性を向上させることができる。
【００２４】
また、ユニットカバー１５には、ターンテーブル１２０が配設される開口に沿って、複数の貫通孔１５５が形成されている。これらの貫通孔１５５は、スピンドルモータ１２が回転した際に、ユニットメカ１０の内部に対流を生じさせ、スピンドルモータ１２の回転負荷を低減させたり、温度上昇を抑制する役割を果たしている。また、ユニットカバー１５の前側及び奥側にも温度上昇を抑制するための貫通孔１５６が形成されている。
【００２５】
なお、本実施の形態では、ＦＰＣ１４が接触する摺動性を有する摺動部として、接触領域１５０の下面に、平面視で略円形の複数の凸部１６０を形成した場合について説明したが、これに限らず、摺動性を有する摺動部は、例えば、図８に模式的に示すように、接触領域１５０下面から、光ピックアップ１３の移動方向に沿って略棒状に延びる凸部１６０としてもよく、図９に示すように、接触領域１５０の下面から、光ピックアップ１３の移動方向に沿って千鳥状に配設され、略棒状に延びる凸部１６０等、ＦＰＣ１４との接触面積を減少させることが可能であれば、他の形状を備えていてもよい。また、凸部１６０に代えて、接触領域１５０下面に上方に向けて凹設された凹部を用いてもよい。
【００２６】
また、本発明にかかるユニットカバー１５は、例えば、図１０に示すように、接触領域１５０には、必ずしも摺動部を形成しなくともよい。これは、前述したように、接触領域１５０に絞り構造が形成されていないだけでも、ＦＰＣ１４の摺動抵抗を小さくすることができるからである。しかしながら、ＦＰＣ１４の摺動抵抗をさらに小さくするため、接触領域１５０の下面に、摺動テープやシートを配設してもよい。
【図面の簡単な説明】
【００２７】
【図１】本発明の実施の形態にかかる光ディスク装置の筐体内に配設されるユニットメカの全体構成を示す斜視図である。
【図２】図１に示すユニットメカの構成要素であるユニットカバーの斜視図である。
【図３】図２に示すユニットカバーを反対側の面から見た状態を示す斜視図である。
【図４】図２に示すユニットカバーの平面図である。
【図５】図４に示すＶ−Ｖ線に沿った断面図である。
【図６】図７に示すユニットカバーの一部を拡大して示す断面図である。
【図７】図４に示すVII−VII線に沿った一部を拡大して示す断面図である。
【図８】本発明の他の実施の形態にかかる摺動部のパターンを示す平面図である。
【図９】本発明の他の実施の形態にかかる摺動部のパターンを示す平面図である。
【図１０】本発明の他の実施の形態にかかるユニットカバーを示す斜視図である。
【符号の説明】
【００２８】
１０…ユニットメカ、  １１…枠体、  １２…スピンドルモータ、  １３…光ピックアップ、  １４…ＦＰＣ、  １５…ユニットカバー、  １５０…接触領域、  １５１…第１の領域、  １５２Ａ、１５２Ｂ…第２の領域、  １６０…凸部
【図１】
2009259353.tif 000003
【図２】
2009259353.tif 000004
【図３】
2009259353.tif 000005
【図４】
2009259353.tif 000006
【図５】
2009259353.tif 000007
【図６】
2009259353.tif 000008
【図７】
2009259353.tif 000009
【図８】
2009259353.tif 000010
【図９】
2009259353.tif 000011
【図１０】
2009259353.tif 000012